(57)【要約】【課題】  本発明は、例えば、新規な誤書換防止回路を備えたディスプレイ装置を提供することを目的とするものである。【解決手段】  本発明は、上記目的を達成するために、例えば、外部装置からのビデオ信号を用いて所望の映像を表示するディスプレイ装置において、該ディスプレイ装置に関する情報を記憶するメモリ回路と、該外部装置に対して該メモリ回路からの情報の読出を許可する読出許可手段と、該ディスプレイ装置もしくは該外部装置の少なくともいずれか一方の電源がＯＮした場合に該メモリ回路への書込みを禁止する書込禁止手段と、該読出許可手段で用いられる外部端子からの信号により該メモリ回路への書込みを許可する書込許可手段とを備えたものである。【選択図】  図２
2005189587.tif 000002
【特許請求の範囲】
【請求項１】
外部装置からの映像情報を表示するディスプレイ装置において、
該ディスプレイ装置に関する情報を記憶するメモリ回路と、該外部装置に対して該メモリ回路からの情報の読出を許可する読出許可手段と、該ディスプレイ装置もしくは該外部装置の少なくともいずれか一方の電源がＯＮした場合に該メモリ回路への書込みを禁止する書込禁止手段と、該読出許可手段で用いられる外部端子からの信号により該メモリ回路への書込みを許可する書込許可手段とを備えたことを特徴とするディスプレイ装置。
【請求項２】
前記メモリ回路は前記書込許可手段からの書込みの許可と前記書込禁止手段からの書込みの禁止を受け付ける書込制御端子を有することを特徴とする請求項１記載のディスプレイ装置。
【請求項３】
前記外部端子を介して信号を送信可能な外部装置を用いて前記ディスプレイ装置への書込許可手段により前記メモリを書込み可能な状態とすることを特徴とする請求項１または２記載のディスプレイ装置。
【請求項４】
外部装置からの映像情報を表示するディスプレイ装置において、
該ディスプレイ装置に関する情報を記憶するメモリ回路と、該外部装置に対して該メモリ回路からの情報の読出を許可する読出許可手段と、該読出許可手段で用いられる外部端子からの信号により該メモリ回路への書込みを許可する書込許可手段とを備えたことを特徴とするディスプレイ装置。
【請求項５】
ディスプレイ装置に関する情報を記憶する記憶手段と、該記憶手段に記憶された情報を外部装置に出力する出力手段とを有し、該外部装置からの映像情報を表示するディスプレイ装置であって、該外部装置に対して該記憶手段からの情報の読出を許可する読出許可信号を送信し、該外部装置からの該記憶手段への書込みを許可するための書込許可信号を受信する外部端子を備えたことを特徴とするディスプレイ装置。
【請求項６】
ディスプレイ装置に関する情報を記憶する記憶手段と、該記憶手段に記憶された情報を外部装置に出力する出力手段とを有し、該外部装置からの映像情報を表示するディスプレイ装置であって、電源を供給される外部端子を用いて該記憶手段への書込みを許可するための書込許可信号を受信することを特徴とするディスプレイ装置。
【請求項７】
前記外部端子は、ＨＤＭＩ規格もしくはＤＶＩ規格に準拠したケーブルの有する端子と接続されることを特徴とする請求項１から６の何れかに記載のディスプレイ装置。
【請求項８】
外部装置からの映像情報を表示するディスプレイ装置において、
該ディスプレイ装置に関する情報を記憶するメモリ回路と、該ディスプレイ装置もしくは該外部装置の少なくともいずれか一方の電源がＯＮした場合に該メモリ回路への書込みを禁止する書込禁止手段とを備えたことを特徴とするディスプレイ装置。
【発明の詳細な説明】
【技術分野】
【０００１】
本発明は、接続されたセット・トップ・ボックス、ＤＶＤプレーヤ、ＡＶレシーバ、パーソナルコンピュータ等の映像信号源機器と通信可能なディスプレイ装置に関する。
【背景技術】
【０００２】
セット・トップ・ボックス（以下、「ＳＴＢ」と省略する），ＤＶＤプレーヤ，ＡＶレシーバ（以下、「ＡＶＲ」と省略する）あるいはパーソナルコンピュータ（以下、「ＰＣ」と省略する）等の映像信号源機器とディスプレイ装置とを所定規格に基づくディスプレイインターフェースで接続し、このインターフェースを介して、映像信号源機器は、ディスプレイ装置の内蔵メモリ（不揮発性メモリ例えばＥＥＰＲＯＭ）に予め記憶されている、例えばメーカ情報，機種情報や対応している信号周波数などのディスプレイ装置の仕様情報を読み出し、読み出した仕様情報に基づいて、例えばディスプレイ装置の対応できる最適な映像信号を供給するというようなＤＤＣ規格に基づくプラグアンドプレイを行うディスプレイシステムに対応した製品が、最近普及してきている。
【０００３】
上記ディスプレイインターフェース規格としては、アナログ映像信号の場合はＤ−ｓｕｂピンコネクタ方式があり、デジタル映像信号の場合はＤＶＩ（Digital  Visual  Interface）、ＨＤＭＩ（High-Definition  Digital  Multimedia  Interface）等がある。
【０００４】
Ｄ−ｓｕｂピンコネクタ方式ついては、例えば特許文献１で開示されている。
【０００５】
上記したディスプレイ装置の仕様情報は、例えば工場出荷時に、ディスプレイ装置に内蔵される不揮発性メモリに書込まれ、通常は、その内容がユーザ操作等により不用意に書き換えられないように、誤書換防止回路が設けられている。この誤書換防止回路については、例えば特許文献２で開示されている。
【０００６】
【特許文献１】特開平１１−１５４５７号公報
【０００７】
【特許文献２】特開平１１−３４４９６２号公報
【発明の開示】
【発明が解決しようとする課題】
【０００８】
上記特許文献２の例えば図４には、メモリの電源がディスプレイ内部の電源とＰＣから供給された電源（＋５Ｖ程度）とのダイオードＯＲ接続で構成され、誤書換防止回路が、ＰＣからの＋５Ｖ程度の電源電圧の有無に応じて、ディスプレイ装置の仕様情報が書込まれたメモリの書込禁止／許可の制御端子を制御する方法が記載されている。
【０００９】
しかし、この誤書換防止回路では、ディスプレイ内部とＰＣの両方から＋５Ｖ程度の電源が供給された場合は、メモリの書込禁止／許可制御端子が書込禁止の“Ｌ”レベルとなるが、ディスプレイ内部からメモリに電源が供給され、かつＰＣが＋５Ｖ程度の電源をディスプレイ装置に供給しない場合は、メモリの書込禁止／許可制御端子が書込許可の“Ｈ”レベルとなる。
【００１０】
このような場合、ディスプレイ装置に接続されるＰＣとしては、様々なメーカが製造した種々のものがあり、接続されるＰＣによっては、ディスプレイ装置の仕様情報が書換えられる恐れがあった。
【００１１】
また、上記特許文献２の誤書換防止回路は、ＤＶＩやＨＤＭＩのディスプレイインターフェース規格に対応していない。
【００１２】
これらの規格では、ディスプレイ装置のメモリから仕様情報を読み出す場合、映像信号源機器は、先ず、＋５Ｖ程度の電源をディスプレイ装置に供給し、ディスプレイ装置からHot  Plug  Detect  Signal（以下、「ＨＰＤ」と省略する）端子に“Ｈ”レベルがリターンされるのを検出するようになっている（以下この意味で、リターン信号を「ＨＰＤ信号」または「メモリ読出許可信号」と呼び、リターン信号が流れるラインを「ＨＰＤ線」または「メモリ読出許可信号線」と呼ぶこととする）。
【００１３】
また、工場内の出荷時などにおいては、実際に書換が必要な場合があり、単に書換防止のみを目的として書換防止回路を実現するのでは不十分な場合がある。従って、誤書換ではない正規の書換をどのように行うかが重要となってくる。
【００１４】
本発明は上記した事情に鑑みて成されたもので、その第１の目的は、ディスプレイ装置の信頼性を向上させることにある。
【００１５】
第２の目的として、使い勝手を向上させることにある。
【課題を解決するための手段】
【００１６】
本発明は、上記第一の目的を達成するために、ディスプレイ装置の仕様情報を記憶させたメモリに対して、映像信号源機器からディスプレイ装置に供給された電源またはディスプレイ内部の電源の少なくともいずれか一方の電源から供給された場合であっても、メモリを書込み可能状態としないように構成したものである。
【００１７】
より具体的には、特許請求の範囲に記載の如く、例えば、外部装置からの映像情報を表示するディスプレイ装置において、該ディスプレイ装置に関する情報を記憶するメモリ回路と、該外部装置に対して該メモリ回路からの情報の読出を許可する読出許可手段と、該ディスプレイ装置もしくは該外部装置の少なくともいずれか一方の電源がＯＮした場合に該メモリ回路への書込みを禁止する書込禁止手段と、該読出許可手段で用いられる外部端子からの信号により該メモリ回路への書込みを許可する書込許可手段とを備えたものである。
【００１８】
これにより、従来技術のように、ディスプレイ装置もしくはＰＣなどの外部装置の一方の電源が入ったとしてもメモリへの書き込みは禁止した状態となるので、その誤書換に対する信頼性は向上する。すなわち、ディスプレイ装置もしくはＰＣなどの外部装置が通常に動作する限りにおいては、書込みを禁止することができる。一方、必要な書き込みに関しては、例えば、特定専用機器を接続し、メモリ読込み許可信号線を特定専用機器からの許可信号として制御することにより、書込許可を制御するようにしたので、工場内などで実際に書換が必要な場合に対応することができ、その使い勝手が向上する。
【００１９】
さらに、本発明は、上記第二の目的を達成するために、ＤＶＩやＨＤＭＩのディスプレイインターフェース規格に対応するとともに、そのＨＰＤ線を用いてメモリの書込禁止/許可制御端子を制御できるように構成し、使い勝手を向上させたものである。
【００２０】
より具体的には、特許請求の範囲に記載の如く、例えば、外部装置からの映像情報を表示するディスプレイ装置において、該ディスプレイ装置に関する情報を記憶するメモリ回路と、該外部装置に対して該メモリ回路からの情報の読出を許可する読出許可手段と、該読出許可手段で用いられる外部端子からの信号により該メモリ回路への書込みを許可する書込許可手段とを備えたものである。
【００２１】
ＤＶＩやＨＤＭＩにはメモリへの書込許可/禁止を制御する専用端子が無いため、上記のような映像信号源機器からディスプレイ装置に供給された電源またはディスプレイ内部の電源の少なくともいずれか一方の電源から供給された場合にメモリを書込み禁止状態となるように制御すると、メモリへの書込許可をどのように制御するかが極めて重要な課題となる。そこで、本発明では、ＤＶＩやＨＤＭＩで使用されている端子の中から、メモリ読込み許可信号線や＋５Ｖ供給線を利用するように構成し、使い勝手を向上させた。なお、同様の課題を有するものであれば、ＤＶＩやＨＤＭＩに限らないことは言うまでもない。
【００２２】
このように、本発明では、例えば、ディスプレイ生産ラインおよび保守用の特定専用機器を接続し、メモリ読込み許可信号線またはメモリ用＋５Ｖ供給線を、特定専用機器からの書込禁止／許可信号として制御することにより、書込禁止／許可を制御するように構成した。
【００２３】
なお、誤書換防止回路の有する上記懸念を解決するにはいたらないが、上記特許文献２の図４において、ディスプレイ装置側で、ＰＣから供給される＋５Ｖ供給線とＰＣへ向かうＨＰＤ線との間に抵抗を挿入し、ＰＣからの＋５Ｖ電源を、該抵抗を介してＨＰＤ端子にリターンさせ、ＤＶＩやＨＤＭＩの規格に対応させることはできる。
【発明の効果】
【００２４】
本発明によれば、ディスプレイ装置の信頼性が向上する。また、他の本発明によれば、使い勝手が向上する。
【発明を実施するための最良の形態】
【００２５】
以下、本発明による最良の形態について、図を用いて、詳細に説明する。なお、各図において、共通な機能を有する要素には、同一符号を付して示す。
【００２６】
図１は本発明によるディスプレイ装置の実施形態を示すブロック図である。同図において、１は映像信号源機器であるＤＶＤプレーヤ、２は本実施例によるディスプレイ装置、３はＤＶＤプレーヤ１から＋５Ｖの電源を供給する＋５Ｖ供給線、４はメモリ読出許可信号線（ＨＰＤ線）、５はＤＶＤプレーヤ１とメモリ（後述）との間の通信インターフェース、６は映像・同期処理回路、７は映像処理回路、８はＣＰＵ、９は表示デバイス、１０は制御データメモリ、１１は＋５Ｖ電源、１２は＋５Ｖ供給線３からの＋５Ｖ電源と＋５Ｖ電源１１とを方向性素子でＯＲ接続した電源制御回路、１３はディスプレイ装置の仕様情報を記憶させたメモリ、１４は＋５Ｖ供給線３に＋５Ｖが供給された時にメモリ読出許可信号線（ＨＰＤ線）４上に“Ｈ”レベルを出力するメモリ読出許可信号発生回路、１５は誤書換防止回路、１６は書込禁止／許可制御ブロックを示す。なお、本実施形態で用いられるディスプレイインターフェース規格はＤＶＩもしくはＨＤＭＩであり、そのためにメモリ読出許可信号発生回路１４を備えている。
【００２７】
図１において、ディスプレイ装置２では、ＤＶＤプレーヤ１からデジタルＲ，Ｇ，Ｂの映像信号ＤＰと同期信号ＤＳとが供給され、映像・同期処理回路６により、同期が重畳されたアナログの映像信号ＡＳが出力され、その映像信号ＡＳは映像処理回路７に供給される。
【００２８】
ＣＰＵ８は、映像・同期処理回路６から供給される信号情報により入力信号形式を特定し、振幅、カラースペース等の制御データを制御データメモリ１０から呼び出し、映像処理回路７を制御する。
【００２９】
なお、ここでは、制御データメモリ１０をＣＰＵ８とは別体のものとして示しているが、これに限られるのものではなく、例えば、この制御データメモリ１０としてＣＰＵ８の内蔵ＲＯＭを用いてもよい。
【００３０】
映像・同期処理回路６から出力される映像信号ＡＳは、映像処理回路７において、ＣＰＵ８からの制御情報に基づいて、増幅やレベルシフトなどの信号処理が施こされ、表示デバイス９に供給される。
【００３１】
このように各部が動作することにより、入力された映像信号ＤＳによる画像（映像や文字など）が表示デバイス９上に表示される。表示デバイス９としては、ＣＲＴ方式でも、液晶方式でも、また、プラズマ方式でもよく、映像や文字などが表示できるデバイスであればよい。
【００３２】
メモリ１３としては書換え可能なデバイスが用いられ、これには、ディスプレイ装置２のメーカや機種などの名称、対応している信号周波数などのディスプレイ装置の仕様情報が記録されており、ＤＶＤプレーヤ１とディスプレイ装置２との間で成されるプラグアンドプレイに従って、必要に応じてこの記録情報の一部あるいは全部を、通信インターフェース５を介してＤＶＤプレーヤ１に送信することができる。ここで、通信インターフェース５は、ＤＶＩまたはＨＤＭＩ規格に対応したシリアル伝送方式である。
【００３３】
各部が上記のように動作することにより、ＤＶＤプレーヤ１はディスプレイ装置２が表示可能な最高解像度で映像信号ＤＰ、ＤＳを出力し、ユーザの手を煩わせることなく、自動的に最適条件で画像表示をおこなうことが可能になる。このプラグアンドプレイの動作は、ＤＶＤプレーヤに限らず、ＰＣ、ＳＴＢ、ＡＶＲでも同様の処理を行うことができる。
【００３４】
さらに、ディスプレイ装置２には、ＤＶＤプレーヤが誤ってメモリ１３のデータを書き換えることがないように、誤書換防止回路１５が設けられている。
【実施例１】
【００３５】
図２はかかる誤書換防止回路１５とその周辺回路である書込禁止／許可制御ブロック１６の一実施例を示すブロック図である。同図において、１２ａと１２ｂは＋５Ｖ供給線３からの＋５Ｖ電源とディスプレイ装置内部の＋５Ｖ電源１１とをＯＲ接続する方向性素子であるダイオード、１４ａ，１５ａ，１５ｂは抵抗、１７はメモリ１３にディスプレイ装置２の仕様情報を書込む際にＤＶＤプレーヤ１に代えて接続される特定専用機器である。なお、抵抗１５ａ，１５ｂの定数は抵抗１４ａに比べて十分大きい値とする。また、図１に対応する部分には同一符号を付して示している。
【００３６】
メモリ１３としては、その内部のメモリアレイへの書込みを禁止／許可する制御端子ＷＰを有するタイプのデバイスを使用する。このメモリ１３の制御端子ＷＰの制御仕様はデバイスによって異なるが、ここでは、通常用いられる“Ｈ”（ハイレベル）で書込みが禁止され、“Ｌ”（ローレベル）で書込みを許可されるものとする。また、書込みが禁止される電圧の下限値をＶＩＨ、書込みが許可される電圧の最大値をＶＩＬ、ダイオード１２ａおよび１２ｂの電圧降下をＶＦ、メモリ読出許可信号線（ＨＰＤ線）４上の電圧をＶＨＰＤとする。
【００３７】
従来、メモリ読出許可信号線（ＨＰＤ線）４上には、映像信号源機器であるＤＶＤプレーヤ１がメモリ１３からディスプレイ装置の仕様情報を読み出す場合、映像信号源機器側からディスプレイ装置２に＋５Ｖ供給線３を介して供給される＋５Ｖ電源電圧がメモリ読出許可信号発生回路１４の抵抗１４ａを介してメモリ読出許可信号線（ＨＰＤ線）４上に出現し、映像信号源機器であるＤＶＤプレーヤ１のＨＰＤ端子にリターンされる。なお、図中は、特定専用機器１７とＤＶＤプレーヤ１とが接続されているが、本読出動作においては、特定専用機器１７を接続する必要は無い。
【００３８】
ところで、メモリ１３に仕様情報を書込む場合には、ディスプレイインターフェース規格では、メモリ読出許可信号線（ＨＰＤ線）４について特に規定がなく、従来利用されていなかった。
【００３９】
そこで、本実施例では、メモリ１３への仕様情報書込時、メモリ読出許可信号線（ＨＰＤ線）４に、映像信号源機器からディスプレイ装置に供給される＋５Ｖ電源電圧とは無関係の独立した所定電圧を印加して、メモリ１３をメモリ書込可能状態とするようにした。なお、本実施例では、メモリ１３に仕様情報を書込むのに、映像信号源機器を用いず、書込治具である特定専用機器１７を用いることとした。特定専用機器１７には、メモリ読出許可信号線（ＨＰＤ線）４を介して前述の独立した所定電圧を印加できるものであって、メモリへの書き込みができるものである必要がある。なお、図中は、特定専用機器１７とＤＶＤプレーヤ１とが接続されているが、本書換動作においては、ＤＶＤプレーヤ１を接続する必要は無い。
【００４０】
次に、メモリ１３の制御端子ＷＰの制御仕様、すなわちメモリの書込許可/禁止を制御するための条件について以下に述べる。
【００４１】
ディスプレイ装置２には、様々な映像信号源機器が接続されるので、映像信号源機器から＋５Ｖ電源電圧が供給されない場合であっても、メモリ１３が書込可能状態とならないようにするのが肝要である。そこで、メモリ１３に＋５Ｖ電源１１から電源が供給され、特定専用機器１７の＋５Ｖ供給線３は開放、メモリ読出許可信号線（ＨＰＤ線）４上の電圧をＶＨＰＤとしたとき、メモリ１３の制御端子の閾値電圧ＶＩＨ，ＶＩＬと抵抗１４ａ，１５ａ，１５ｂの関係が、次式の書込禁止条件を満足するよう設定する。
【００４２】
VIH < (5−VF)×15a÷(15a＋15b)＋VHPD  …（数１）
なお、数１の右辺はＶＨＰＤを基準とした場合のメモリ１３の制御端子ＷＰの電圧である。
【００４３】
ここで、＋５Ｖ供給線３から＋５Ｖ電源が供給されないとき、ＶＨＰＤは接地電圧０Ｖ以下とはならないので、厳しい条件として、ＶＨＰＤ＝０Ｖとすることができる。従って、書込禁止条件は数２とすることができる。
【００４４】
VIH< (5−VF)×15a÷(15a＋15b)  …（数２）
このように、数２を満足するように設定すれば、映像信号源機器１から＋５Ｖ電源が供給されなくとも、電源１１から＋５Ｖが供給されれば、図２から明らかなように、メモリ１３の制御端子ＷＰの電圧は、メモリ書込みが禁止されるＶＩＨ以上の“Ｈ”レベルとなるため、書込可能状態になることはない。
【００４５】
また、ディスプレイ装置２の電源がオフで、電源１１から＋５Ｖが供給されず、映像信号源機器であるＤＶＤプレーヤ１から＋５Ｖ電源が供給された場合、抵抗１４ａが抵抗１５ａ，１５ｂに対して十分小さいので、メモリ１３の制御端子ＷＰは明らかに“Ｈ”レベルとなり、上記同様に書込可能状態になることはない。
【００４６】
従って、このような条件を満足するように設定すれば、メモリ１３の電源（＋５Ｖ）が電源１１か映像信号源機器のどちらか一方から供給されたとしても、従来技術とは異なり、必ず読出可能状態（書込禁止状態）となり、書込可能状態になることはない。
【００４７】
次に、書込可能条件について述べる。本実施例では、メモリ１３にディスプレイ装置の仕様情報を書込むために、映像信号源機器例えばＤＶＤプレーヤ１に代えて、メモリの書込治具である特定専用機器１７をディスプレイ装置２に接続し、＋５Ｖ供給線３を開放とし、ＨＰＤ線４に特定専用機器１７側から数３を満足するＨＰＤ電圧を供給する。
【００４８】
VIL > (5−VF−VHPD)×15a÷(15a＋15b)＋VHPD  …（数３）
但し、VHPD＜０Ｖ
このようにすれば、図２から明らかなように、メモリ１３の制御端子ＷＰは、書込可能状態となるＶＩＬ以下の“Ｌ”レベルとなり、書込可能状態とすることができる。
【００４９】
以下、本実施例の動作を説明する。
【００５０】
図２において、ＤＶＤプレーヤ１は、ディスプレイ装置２からディスプレイ装置の仕様情報を読み出す際、ディスプレイ装置２に対して＋５Ｖ供給線３から＋５Ｖ電源電圧を出力し、メモリ読出許可信号線（ＨＰＤ線）４が“Ｈ”レベルであるかを確認する。ここで、ＤＶＤプレーヤ１のメモリ読出許可信号線４の入力は、ハイインピーダンスとする。＋５Ｖは、電源制御回路１２を通じてメモリ１３に供給され、メモリ１３は動作可能な状態となる。このとき、＋５Ｖ供給線３からメモリ読出許可信号発生回路１４にも同時に＋５Ｖが供給され、メモリ読出許可信号発生回路１４から（具体的には抵抗１４ａを介して）メモリ読出許可信号線（ＨＰＤ線）４上に“Ｈ”レベルが出力され、“Ｈ”レベルがＤＶＤプレーヤ１に伝達される。また、＋５Ｖは、電源制御回路１２から書込禁止条件である上記数２を満足する誤書換防止回路１５を通じて、メモリ１３の制御端子ＷＰを“Ｈ”レベルに設定して、書込禁止状態に設定する。
【００５１】
ＤＶＤプレーヤ１は、このメモリ読出許可信号信号線（ＨＰＤ線）４上の電圧が“Ｈ”に変化したことを確認して、通信インターフェース５を通じてディスプレイ情報を読み出すことができる。
【００５２】
この実施例では、ＤＶＤプレーヤ１あるいは＋５Ｖ電源１１のいずれか一方から電源が供給されると、メモリ１３の制御端子ＷＰに“Ｈ”レベルが加わるため、通常ユーザの使用状態では書込禁止状態となり、ＤＶＤプレーヤ１から通信インターフェース５を通じ、誤って書込み信号を送信しても、メモリ１３のデータが書き換えられることはない。
【００５３】
一方、図２において、製造工場における生産時あるいはユーザーディスプレイ装置の保守時、映像信号源機器１に代えて特定専用機器１７を接続してメモリ１３の情報を書込みもしくは書き換える場合は、＋５Ｖ電源１１からメモリ１３に電源を与え、＋５Ｖ供給線３は特定専用機器１７側にて開放にする。これは特定専用機器１７から＋５Ｖが供給されると、メモリ読出許可信号発生回路１４からメモリ読出許可信号線（ＨＰＤ線）４上に“Ｈ”レベルが出力され、“Ｈ”レベルが特定専用機器１７へ伝達されてしまい、書込み許可動作自身に影響を及ぼすからである。
【００５４】
次に、特定専用機器１７は、メモリ１３の制御端子ＷＰの電圧が書込許可電圧の最大値ＶＩＬ以下となるよう、メモリ読出許可信号線（ＨＰＤ線）４に上記書込可能条件（数３）を満足する負の電圧ＶＨＰＤを印可する。これによって、メモリ１３は書き込み許可状態となり、特定専用機器１７から通信インターフェース５を介してディスプレイの仕様情報をメモリ１３に書込むことが可能となる。
【００５５】
以上述べたように、本発明によれば、メモリ読出許可信号線（ＨＰＤ線）を用いて、誤書換防止回路に、ディスプレイ装置の仕様情報を記憶させるメモリの書込禁止/許可制御端子の書込可能条件を満足する所定の電圧を印加して、前記メモリをメモリ書込可能状態とすることができる。
【００５６】
なお、電源制御回路１２や誤書換防止回路１５などの回路構成によっては、数式（１）〜（３）に規定した条件も変わるものであるが、いずれの場合であってもディスプレイ装置の電源１１もしくは映像信号源機器１の電源が供給された場合に、メモリ１３における書込禁止状態となるように構成すすればよく、またＨＰＤ端子から電圧が印加された場合に書込許可状態となるように構成すれば良い。
【実施例２】
【００５７】
また、以上述べた第１の実施例では、特定専用機器１７からメモリ読出許可信号線４（ＨＰＤ線）上に、ディスプレイ装置の仕様情報を記憶させるメモリの書込禁止/許可制御端子の書込可能条件を満足する所定の電圧を印加するようにしたが、これに限定されるものではなく、例えば、図２において、特定専用機器７側で、メモリ読出許可信号線（ＨＰＤ線）４を開放し、代わりに、＋５Ｖ供給線３側に前記と同様な所定電圧を印可することでも同様にメモリ書込可能状態とすることができる。これは、メモリ読出許可信号発生回路１４の抵抗１４ａが、誤書換防止回路１５を構成する抵抗１５ａ，１５ｂに対して十分小さければ、書込可能条件数３を容易に満足することができるからである。これらのことは図２から容易に推察できるので、図を用いた詳細な説明を省略する。なお、特定専用機器７側で、メモリ読出許可信号線（ＨＰＤ線）４を開放するのは、特定専用機器１７から＋５Ｖ供給線を介して電圧が供給されるので、メモリ読出許可信号発生回路１４が動作する可能性があり、メモリ読出許可信号線（ＨＰＤ線）４を介して“Ｈ”レベルが特定専用機器１７へ伝達されることで誤動作させる可能性があるからである。
【００５８】
以上、本発明の実施形態について説明したが、本発明は以上の実施形態のみに限定されるものではなく、上記夫々の実施形態を適宜組み合わせるようにすることもできる。また、表示デバイス９としては、ＣＲＴに限られるものではなく、例えば液晶ディスプレイ，プラズマディスプレイパネルやフィールドエミッションディスプレイ（所謂ＦＥＤ）といった平面型ディスプレイ等であってもよい。
【図面の簡単な説明】
【００５９】
【図１】本発明によるディスプレイ装置の実施形態を示すブロック図。
【図２】図１における誤書換防止回路と書込禁止／許可制御ブロックの一実施例を示すブロック図。
【符号の説明】
【００６０】
１  ＤＶＤプレーヤ、２  ディスプレイ装置、３  ＋５Ｖ供給線、４  メモリ読出許可信号線（ＨＰＤ線）、５  通信インターフェース、６  映像・同期処理回路、７  映像処理回路、８  ＣＰＵ、９  表示デバイス、１０  制御データメモリ、１１  ＋５Ｖ電源、１２  電源制御回路、１３  メモリ、１４  メモリ読出許可信号発生回路、１５  誤書換防止回路、１６  書込禁止／許可制御ブロック、１７  特定専用機器
【図１】
2005189587.tif 000003
【図２】
2005189587.tif 000004